(57)【特許請求の範囲】
【請求項１】
発電プラントを監視、操作するためのモニタが複数配設され、スポット的に下方を照らすダウンライトが天井に複数配設されて、所定の照明空間が施された発電所中央制御室であって、
前記ダウンライトが前記モニタの画面に映り込むのを防止する遮光体が、前記ダウンライトに配設され、
前記遮光体は、複数の遮光板が格子状に配設され、各格子の前記モニタに対向する側面が、該側面と直交する側面よりも長くなるように構成され、前記遮光板の高さが前記天井の高さに基づき、前記ダウンライトが前記モニタの画面に映り込むのを防止する高さに形成されている、
ことを特徴とする発電所中央制御室。
【請求項２】
前記遮光体は、黒色に着色されている、
ことを特徴とする請求項１に記載の発電所中央制御室。
【請求項３】
所定の照度が得られるように前記遮光板が形成および配設されている、
ことを特徴とする請求項２に記載の発電所中央制御室。
【発明の詳細な説明】
【技術分野】
【０００１】
この発明は、発電所の中央制御室に関し、特に、ダウンライトが複数配設された発電所中央制御室に関する。
【背景技術】
【０００２】
例えば、店舗や展示場などにおいては、天井に埋め込められたダウンライトが複数配設され、所定の遮光角で商品や展示物などを集中的に照射している。また、ワット数が異なる（発光管の長さが異なる）ランプを取り付けても、同じ遮光角が得られて効率がよい、というダウンライトが知られている（例えば、特許文献１参照。）。このダウンライトは、ランプホルダの位置を上下に移動させるソケット取付金具とソケット台とを設け、ランプホルダを移動させることで、ランプの下端遮光角を一定に保てるようにしたものである。
【先行技術文献】
【特許文献】
【０００３】
【特許文献１】特表２００３−３０８７２２号公報
【発明の概要】
【発明が解決しようとする課題】
【０００４】
ところで、原子力発電所の中央制御室は、近年、従来のハード機器がディスプレイ化・ビジュアル化され、さらに、コンパクト化と集中化を図ることで、運転員が着座したままで移動することなく、監視や操作が行えるようになった。しかしながら、運転員が同一姿勢を長時間継続しなければならないため、疲労・負担が大きく、また、集中力が低下するおそれがある。
【０００５】
そこで、このような疲労や集中力の低下などを軽減するために、ダウンライトを含む多様な照明機器を組み合わせて中央制御室に配置することで、快適性や緊張感、落ち着き感などを与えるような演出・デザインが行われている。しかしながら、天井からスポット的に照らすダウンライトを使用する場合、図５に示すように、ダウンライト１０１がモニタ１０２の画面に映り込む場合がある。そして、このような映り込みがあると、運転員Ｍの視認性の低下や視覚疲労などを誘発して、発電プラントの運転に支障をきたすおそれがあった。
【０００６】
そこでこの発明は、ダウンライトがモニタに映り込むことがなく、視認性の低下や視覚疲労などを誘発しない発電所中央制御室を提供することを目的とする。
【課題を解決するための手段】
【０００７】
上記課題を解決するために、請求項１の発明は、発電プラントを監視、操作するためのモニタが複数配設され、スポット的に下方を照らすダウンライトが天井に複数配設されて、所定の照明空間が施された発電所中央制御室であって、前記ダウンライトが前記モニタの画面に映り込むのを防止する遮光体が、前記ダウンライトに配設され、前記遮光体は、複数の遮光板が格子状に配設され、各格子の前記モニタに対向する側面が、該側面と直交する側面よりも長くなるように構成され、前記遮光板の高さが前記天井の高さに基づき、前記ダウンライトが前記モニタの画面に映り込むのを防止する高さに形成されている、ことを特徴とする。
【０００８】
請求項２の発明は、請求項１に記載の発電所中央制御室において、前記遮光体は、黒色に着色されている、ことを特徴とする。
【０００９】
請求項３の発明は、請求項２に記載の発電所中央制御室において、所定の照度が得られるように前記遮光板が形成および配設されている、ことを特徴とする。
【発明の効果】
【００１０】
請求項１の発明によれば、ダウンライトがモニタの画面に映り込むのを防止する遮光体がダウンライトに配設されているため、ダウンライトがモニタに映り込むことがなく、視認性の低下や視覚疲労などを誘発しない。しかも、複数のダウンライトが配設されて、所定の照明空間が施されている。このようにして、ダウンライトによって快適性や緊張感、落ち着き感などを確保した上で、ダウンライトがモニタに映り込むことによる視認性の低下などを防止して、発電プラントを円滑に運転することが可能となる。また、遮光体の各格子のモニタに対向する側面（横側面）が、この側面と直交する側面（縦側面）よりも長く構成され、遮光板の高さが天井の高さに基づいて形成されているため、ダウンライトがモニタに映り込むのを横側面によって効果的に防止、抑制することが可能になるともに、縦側面によってダウンライトからの光がより効果的に照射されるため、所定の照明空間を確保することが可能となる。
【００１１】
請求項２の発明によれば、遮光体が黒色に着色されているため、遮光性を高めることが可能となる。
【００１２】
請求項３の発明によれば、中央制御室において所定の照度が得られるように遮光板が形成および配設されているため、所定の照明空間をより適正に形成して、快適性や緊張感、落ち着き感などをより形成、確保することが可能となる。
【図面の簡単な説明】
【００１３】
【図１】この発明の実施の形態に係る発電所中央制御室を示す正面図である。
【図２】図１の発電所中央制御室を示す平面図である。
【図３】図１の発電所中央制御室のダウンライトを示す（ａ）正面図（半断面図）と（ｂ）平面図である。
【図４】図３のダウンライトの遮光体の高さが、（ａ）低い場合の光の経路を示す図と、（ｂ）高い場合の光の経路を示す図である。
【図５】従来の発電所中央制御室を示す正面図である。
【発明を実施するための形態】
【００１４】
以下、この発明を図示の実施の形態に基づいて説明する。
【００１５】
図１は、この発明の実施の形態に係る発電所中央制御室１を示す正面図である。この発電所中央制御室１は、発電プラントを監視、操作するためのモニタ２が複数配設され、スポット的に下方を照らすダウンライト３が天井４に複数配設されて、所定の照明空間が施された原子力発電所の中央制御室であり、ダウンライト３がモニタ２の画面２１に映り込むのを防止、抑制する遮光体５が、ダウンライト３に配設されている。
【００１６】
すなわち、まず、図２に示すように、発電プラントを監視、操作するためのモニタ２が複数配設されている。具体的に、この実施の形態では、モニタ２が複数横並びに配置された列が、複数列配置され、さらに、この列群の前方に、複数のモニタ２が円弧状に配置されている。そして、これらのモニタ２に対して、各モニタ２を使用する運転員Ｍの人数に応じた数の椅子２２が配置されている。
【００１７】
各ダウンライト３は、図１に示すように、天井４内に配設されてスポット的に下方を照らすライトである。このダウンライト３は、図３に示すように、光を反射する反射板で構成されたお椀状（ドーム状）の反射体３１の内側に、ランプ（光源）３２が望むように配設されている。このランプ３２は、円柱状で、軸心が垂直に延びるように配設され、スポット的に下方を照らすようになっている。また、反射体３１の開口縁は、円形となっている。
【００１８】
そして、このようなダウンライト３を含む照明機器が、室内に所定の照明空間が形成されるように複数配設されている。すなわち、各モニタ２の配置位置・レイアウトに基づいて、運転員Ｍに対して快適性や緊張感、落ち着き感などを与えて、疲労や集中力の低下などを軽減できるような照明空間・照明デザインが室内に演出されるように、各ダウンライト３の配置位置や配置数、ランプ３２の輝度・明度などが設定されている。
【００１９】
遮光体５は、ダウンライト３がモニタ２の画面２１に映り込むのを防止、抑制するために、ダウンライト３に配設されているものである。一方、遮光体５を取り付けなくても、モニタ２の画面２１に映り込むことがないダウンライト３に対しては、図１に示すように、素通しの枠体６が配設されている。
【００２０】
この遮光体５は、図３に示すように、円環状の取付枠５１内に、長方形状の複数の遮光板５２が、その板面が垂直に延びて、格子状に配設されている。そして、取付枠５１の取付ボルト５３をダウンライト３のネジ穴に締め込んだり外したりすることで、遮光体５をダウンライト３に対して同軸に着脱自在となっている。さらに、一端部が遮光体５に取り付けられた吊り紐５４の他端部をダウンライト３に取り付けることで、遮光体５が不用意に落下するのを防止するようになっている。
【００２１】
ここで、遮光板５２は、遮光性を高めるために全表面が黒く着色され、また、各格子のモニタ２に対向する側面（横側面Ｋ１）が、この側面と直交する側面（縦側面Ｋ１２）よりも長くなるように、格子状に配設されている。すなわち、遮光板５２を格子状に配設して形成される各格子が、長方形状となり、その長辺と短辺の比（横側面Ｋ１と縦側面Ｋ１２の比）が２：１になっている。そして、横側面Ｋ１がモニタ２の画面２１に対向するように、遮光板５２が配設されている。
【００２２】
また、遮光板５２の高さｈは、各モニタ２と各ダウンライト３の配設位置・配設関係やダウンライト３の配設高さＨ（図１参照）などに基づいて、ダウンライト３がモニタ２の画面２１に映り込まないように設定されている。すなわち、図４（ａ）に示すように、遮光板５２の高さｈが低い場合には、遮光体５を通過する光の一部の放射角θは、小さい鋭角となり、ダウンライト３から比較的遠い位置まで光が届く。一方、図４（ｂ）に示すように、遮光板５２の高さｈが高い場合には、遮光体５を通過する光の放射角θは、直角に近くなり、ダウンライト３の真下付近に光が届く。
【００２３】
そして、このような直接光の到達範囲を考慮して、ダウンライト３（光源）がモニタ２の画面２１に映り込まないように、遮光板５２の高さｈが設定されている。従って、各モニタ２と各ダウンライト３の配設関係などによっては、すべての遮光体５で遮光板５２の高さｈが同一に設定される場合もあるし、各遮光体５で遮光板５２の高さｈが異なる場合もある。
【００２４】
さらに、このようにしてダウンライト３がモニタ２に映り込まないようにした上で、室内で所定の照度・明度が得られるように、遮光板５２が形成および配設されている。すなわち、ダウンライト３がモニタ２に映り込まないように遮光しつつ、かつ、室内で所定の照度が得られて上記のような照明空間が形成されるように、遮光板５２の高さｈや格子形状などが設定されている。例えば、図４（ｂ）に示すように、遮光板５２の高さｈが高い場合には、図１に示すように、ダウンライト３から離れた（真下にない）モニタ２への映り込みを防止できるが、遮光板５２の高さｈが高すぎると所定の照度が得られなくなる。このため、映り込みを防止できる範囲で、できるだけ遮光板５２の高さｈが低く設定されている。
【００２５】
換言すると、このような遮光体５による遮光作用・効果を考慮した上で、発電所中央制御室１内で所定の照明空間（照度を含む）が形成されるように、各ダウンライト３の配置位置や配置数、ランプ３２の輝度・明度および遮光板５２の高さｈや格子形状、さらには、枠体６の配設位置などが設定されている。ここで、図１では、構成をわかりやすくするために、遮光体５や枠体６が天井４から突出して図示されているが、図３に示すように、遮光体５や枠体６は天井４内に位置する。
【００２６】
以上のように、この発電所中央制御室１によれば、ダウンライト３（光源）がモニタ２の画面２１に映り込むのを防止する遮光体５がダウンライト３に配設されているため、ダウンライト３がモニタ２に映り込むことがなく、運転員Ｍの視認性の低下や視覚疲労などを誘発しない。しかも、各遮光板５２の全表面が黒く着色されているため、ダウンライト３がモニタ２に映り込むのをより効果的に防止、抑制することができる。一方、複数のダウンライト３が配設されて、所定の照明空間が施されている。このようにして、ダウンライト３によって快適性や緊張感、落ち着き感などを確保した上で、ダウンライト３がモニタ２に映り込むことによる視認性の低下などを防止して、発電プラントを円滑に運転することが可能となる。
【００２７】
また、遮光体５の各格子のモニタ２に対向する横側面Ｋ１が、この横側面Ｋ１と直交する縦側面Ｋ２よりも長く（２倍に）構成されている。このため、ダウンライト３がモニタ２に映り込むのを横側面Ｋ１によって効果的に防止、抑制することが可能になるとともに、縦側面Ｋ２によってダウンライト３からの光がより効果的に照射されるため、所定の照明空間を確保することが可能となる。
【００２８】
さらに、発電所中央制御室１において所定の照度が得られるように遮光板５２が形成および配設されているため、所定の照明空間をより適正に形成して、快適性や緊張感、落ち着き感などをより形成、確保することが可能となる。
【００２９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、各格子が長方形状になるように遮光板５２が配設されているが、遮光の方向（モニタ２の位置）などに応じて、各格子が菱形状や三角形状などになるように遮光板５２を配設してもよい。
【符号の説明】
【００３０】
１        発電所中央制御室
２        モニタ
２１      画面
３        ダウンライト
３１      反射体
３２      ランプ（光源）
４        天井
５        遮光体
５１      取付枠
５２      遮光板
５３      取付ボルト
５４      吊り紐
６        枠体
Ｍ        運転員
【図１】
0005955904.tif 000002
【図２】
0005955904.tif 000003
【図３】
0005955904.tif 000004
【図４】
0005955904.tif 000005
【図５】
0005955904.tif 000006